(57)【特許請求の範囲】
【請求項１】
複数の伝送装置間でオーダーワイヤ通信を行うオーダーワイヤ通信システムにおいて、
直線状に接続された前記伝送装置のうち、両端の各伝送装置から両端以外の他の各伝送装置に対し、固有番号のＤＴＭＦ信号で呼び出しを行い、障害監視番号のＤＴＭＦ信号、テスト用音声信号を定期的に送信する接続監視部と、
前記障害監視番号のＤＴＭＦ信号を受信すると、前記接続監視部に対し、受信した旨の返信を行い、テスト用音声信号の音声再生が正常に行われたかについてのＤＴＭＦ信号を送信する返信部とを備えることを特徴とするオーダーワイヤ通信システム。
【請求項２】
両端の伝送装置の前記接続監視部は、定期的な呼び出しを相互に非同期に行い、且つ、定期的な呼び出しの間隔を異なるように設定することを特徴とする、請求項１に記載のオーダーワイヤ通信システム。
【請求項３】
前記複数の伝送装置がリング状に接続されている場合には、オーダーワイヤ通信の回線接続を行わないように伝送装置間の１箇所を分離し、分離した伝送装置に前記接続監視部が設けられることを特徴とする、請求項１に記載のオーダーワイヤ通信システム。
【請求項４】
両端以外の他の伝送装置の前記返信部は、固有番号のＤＴＭＦ信号で呼び出されると共に障害監視番号のＤＴＭＦ信号を受信した場合には、呼び出し用のブザーを鳴動させないことを特徴とする、請求項１に記載のオーダーワイヤ通信システム。
【請求項５】
前記接続監視部は、前記障害監視番号のＤＴＭＦ信号の送信に対して、前記返信部から返信を受信しない場合、伝送路障害に起因するオーダーワイヤ通信システムの通信障害有りとのアラームを発生することを特徴とする、請求項１に記載のオーダーワイヤ通信システム。
【請求項６】
前記接続監視部は、前記障害監視番号のＤＴＭＦ信号の送信に対して、前記返信部から返信を受信し、テスト用音声信号の音声再生が異常であるとのＤＴＭＦ信号を受信した場合、オーダーワイヤ通信システム自体に通信障害有りとのアラームを発生することを特徴とする、請求項１に記載のオーダーワイヤ通信システム。
【請求項７】
直線状又はリング状に接続される複数の前記伝送装置の中間に位置する伝送装置に前記接続監視装置が設けられることを特徴とする、請求項１又は請求項３に記載のオーダーワイヤ通信システム。
【請求項８】
直線状に接続される複数の伝送装置が複数組み合わせ接続されることにより形成される交点の伝送装置に前記接続監視部が設けられることを特徴とする、請求項１に記載のオーダーワイヤ通信システム。
【請求項９】
リング状の複数の伝送装置と直線状の複数の伝送装置が複数の組み合わせ接続されることにより形成される交点の伝送装置に前記接続監視部が設けられることを特徴とする、請求項１又は請求項３に記載のオーダーワイヤ通信システム。
【請求項１０】
複数の伝送装置間でオーダーワイヤ通信を行うオーダーワイヤ通信システムの通信障害検出方法において、
直線状に接続された前記伝送装置のうち、両端の各伝送装置から両端以外の他の各伝送装置に対し、固有番号のＤＴＭＦ信号で呼び出しを定期的に行う工程と、
呼び出し後に障害監視番号のＤＴＭＦ信号、テスト用音声信号を送信する工程と、
両端以外の他の伝送装置で前記障害監視番号のＤＴＭＦ信号を受信する工程と、
両端の伝送装置に対し、前記障害監視番号のＤＴＭＦ信号を受信した旨の返信を行う工程と、
テスト用音声信号の音声再生が正常に行われたかのＤＴＭＦ信号を返信する工程と、
前記障害監視番号のＤＴＭＦ信号を受信した旨の返信を受信しない場合には第１のアラームを発生する工程と、
前記テスト用音声信号の音声再生が異常である旨の返信を受信した場合には第２のアラームを発生する工程とを備えることを特徴とするオーダーワイヤ通信システムの通信障害検出方法。
【発明の詳細な説明】
【０００１】
【産業上の利用分野】
本発明は音声打ち合わせを行うオーダーワイヤ通信システムに関する。特に、本発明は、オーダーワイヤ通信システムの回線障害発生時の異常箇所特定を自動的に行うオーダーワイヤ通信システムの通信障害検出方法に関する。
【０００２】
【従来の技術】
図１３は本発明の前提となるオーダーワイヤ通信システムの概略構成を示す図である。なお、全図を通して同一の構成要素には同一の番号、符号を付して説明を行う。
本図に示すように、直線状に接続された複数の伝送装置２１〜２６により伝送システムが構成されているとする。
【０００３】
伝送システムでは、例えば、伝送装置２１の送受信のｅａｓｔ側が伝送装置２２の送受信のｗｅｓｔ側に接続され、伝送装置２２の送受信のｅａｓｔ側が伝送装置２３の送受信のｗｅｓｔ側に接続され、伝送装置２３の送受信のｅａｓｔ側が伝送装置２４の送受信のｗｅｓｔ側に接続され、伝送装置２４の送受信のｅａｓｔ側が伝送装置２５の送受信のｗｅｓｔ側に接続され、伝送装置２５の送受信のｅａｓｔ側が伝送装置２６の送受信のｗｅｓｔ側に接続され、直線状に接続配置される。
【０００４】
このように伝送システムを構築する場合、オーダーワイヤ通信システムが、欠かすことなく、設置され、伝送装置間に接続される。この場合、伝送装置２１〜２６には、オーダーワイヤ通信システムを構成するディジタルブランチ回路１０１〜１０６がそれぞれ接続される。
なお、オーダーワイヤ通信システムは、ＳＤＨ（同期ディジタルハイアラーキ）のオーバヘッドのＥ１又はＥ２バイトの音声打ち合わせ機能に基づくシステムである。
【０００５】
特に、伝送システムを構築する工事に際しては、メンテナンス担当者が、ある伝送装置から伝送システムを構成する他の伝送装置に対して、手動で、オーダーワイヤの呼び出しを行って、機能の確認を行っている。
例えば、伝送装置２２、２４ではディジタルブランチ回路１０２、１０４が使用され、ディジタルブランチ回路１０２と１０４間では、伝送装置２３を介して、オーダーワイヤ通信により、音声打ち合わせが行われる。
【０００６】
図１４は図１３において伝送路障害に起因してオーダーワイヤ通信システムに通信障害が発生した場合の例を説明する図である。
伝送路に１箇所以上のオーダーワイヤ通信の回線障害があると、例えば、本図に示すように、伝送装置２３及び伝送装置２４の間に伝送路障害が発生した場合には、その時点で、オーダーワイヤ通信が不能となる。
すなわち、その障害以遠に接続されている伝送装置２４、２５、２６と、手前に接続されている伝送装置２２、２３の間では、オーダーワイヤ通信ができなくなってしまう。
この伝送装置２２、２３の間を跨る伝送路障害が発見されると同時に、オーダーワイヤ通信システムの通信障害が発見される。
このような場合のオーダーワイヤ通信システムの通信障害については、特開平７−３０３１４９号公報に開示されように、伝送路障害があった場合、オーダーワイヤ通信が不能となり、保守者が障害ラインを認識した上で、オーダーワイヤ通信を構築する旨が記載されており、さらに、伝送路障害を検出した部分を除いた他の部分のオーダーワイヤ通信接続を自動的に行う旨が開示されている。
【０００７】
図１５は図１３においてオーダーワイヤ通信システム自身の障害に起因するオーダーワイヤ通信の不能が発生した場合の例を説明する図である。
本図に示すように、伝送路障害がなくても、ディジタルブランチ回路１０４を含むオーダーワイヤ通信システム自身に障害があり、オーダーワイヤ通信が不能になる場合がある。
このオーダーワイヤ通信システム障害は、伝送装置２４に接続されるオーダーワイヤ通信システムに対する通信が不能になって初めて発見される場合が多い。
【０００８】
【発明が解決しょうとする課題】
しかしながら、上記オーダーワイヤ通信システムでは、オーダーワイヤ機能監視を手動で行ってきたため、オーダーワイヤ通信システムの通信障害の発見が遅れる傾向にあるという問題があった。
また、伝送路システムのオーダーワイヤ通信システムに１箇所でも障害が発見されれば、その伝送装置が設置されている場所まで出向いて対応し、再度全伝送装置に対し呼び出しを行う作業を繰り返し行わなければならず、伝送システムを構成する伝送装置の数が増えれば増えるほど、その作業量は増加する。
【０００９】
したがって、本発明は上記問題点に鑑みて、伝送システムでオーダーワイヤ通信システムの通信障害を早期に発見することができるオーダーワイヤ通信システム及びその障害検出方法を提供することを目的とする。
【００１０】
【課題を解決するための手段】
本発明は前記問題点を解決するために、複数の伝送装置間でオーダーワイヤ通信を行うオーダーワイヤ通信システムにおいて、直線状に接続された前記伝送装置のうち、両端の各伝送装置から両端以外の他の各伝送装置に対し、固有番号のＤＴＭＦ信号で呼び出しを行い、障害監視番号のＤＴＭＦ信号、テスト用音声信号を定期的に送信する接続監視部と、前記障害監視番号のＤＴＭＦ信号を受信すると、前記接続監視部に対し、受信した旨の返信を行い、テスト用音声信号の音声再生が正常に行われたかのＤＴＭＦ信号を送信する返信部とを備えることを特徴とするオーダーワイヤ通信システムを提供する。
【００１１】
この手段により、伝送システムでオーダーワイヤ通信システムの通信障害を早期に発見することが可能になる。
好ましくは、両端の伝送装置の前記接続監視部は、定期的な呼び出しを相互に非同期に行い、且つ、定期的な呼び出しの間隔を異なるように設定する。
【００１２】
この手段により、輻輳を防止することが可能になる。
好ましくは、前記複数の伝送装置がリング状に接続されている場合には、オーダーワイヤ通信の回線接続を行わないように伝送装置間の１箇所を分離し、分離した伝送装置に前記接続監視部が設けられる。
【００１３】
この手段により、リング状に接続されることにより生じるオーダーワイヤ通信の発振現象を防止すると共に、オーダーワイヤ通信システムの通信障害を早期に発見することが可能になる。
好ましくは、両端以外の他の伝送装置の前記返信部は、固有番号のＤＴＭＦ信号で呼び出されると共に障害監視番号のＤＴＭＦ信号を受信した場合には、呼び出し用のブザーを鳴動させない。
【００１４】
この手段により、オーダーワイヤ通信による音声打ち合わせの呼び出しと、オーダーワイヤ通信システムの通信障害の監視の呼び出しとを識別し混同するのを防止することが可能になる。
好ましくは、前記接続監視部は、前記障害監視番号のＤＴＭＦ信号の送信に対して、前記返信部から返信を受信しない場合、伝送路障害に起因するオーダーワイヤ通信システムの通信障害有りとのアラームを発生する。
【００１５】
この手段により、伝送路障害に起因するオーダーワイヤ通信の障害発生が早期に発見されるようになる。
好ましくは、前記接続監視部は、前記障害監視番号のＤＴＭＦ信号の送信に対して、前記返信部から返信を受信し、テスト用音声信号の音声再生が異常であるとのＤＴＭＦ信号を受信した場合、オーダーワイヤ通信システム自体に通信障害有りとのアラームを発生する。
【００１６】
この手段により、オーダーワイヤ通信システム自体の通信障害発生が早期に発見されるようになる。
好ましくは、直線状又はリング状に接続される複数の前記伝送装置の中間に位置する伝送装置に前記接続監視装置が設けられる。
この手段により、伝送装置の数が多くなっても多数のオーダーワイヤ通信システムの通信障害発生が早期に発見されるようになる。
【００１７】
好ましくは、直線状に接続される複数の伝送装置が複数組み合わせ接続されることにより形成される交点の伝送装置に前記接続監視部が設けられる。
この手段により、伝送装置の数が多くなっても多数のオーダーワイヤ通信システムの通信障害発生が早期に発見されるようになる。
【００１８】
好ましくは、リング状の複数の伝送装置と直線状の複数の伝送装置が複数の組み合わせ接続されることにより形成される交点の伝送装置に前記接続監視部が接続される。
この手段により、伝送装置の数が多くなっても多数のオーダーワイヤ通信システムの通信障害発生が早期に発見されるようになる。
【００１９】
さらに、本発明は、複数の伝送装置間でオーダーワイヤ通信を行うオーダーワイヤ通信システムの通信障害検出方法において、直線状に接続された前記伝送装置のうち、両端の各伝送装置から両端以外の他の各伝送装置に対し、固有番号のＤＴＭＦ信号で呼び出しを定期的に行う工程と、呼び出し後に障害監視番号のＤＴＭＦ信号、テスト用音声信号を送信する工程と、両端以外の他の伝送装置で前記障害監視番号のＤＴＭＦ信号を受信する工程と、両端の伝送装置に対し、前記障害監視番号のＤＴＭＦ信号を受信した旨の返信を行う工程と、テスト用音声信号の音声再生が正常に行われたかのＤＴＭＦ信号を返信する工程と、前記障害監視番号のＤＴＭＦ信号を受信した旨の返信を受信しない場合には第１のアラームを発生する工程と、前記テスト用音声信号の音声再生が異常である旨の返信を受信した場合には第２のアラームを発生する工程とを備えることを特徴とするオーダーワイヤ通信システムの通信障害検出方法を提供する。
【００２０】
この手段により、上記発明と同様に、伝送システムでオーダーワイヤ通信システムの通信障害を早期に発見することが可能になる。
【００２１】
【発明の実施の形態】
以下、本発明の実施の形態について図面を参照して説明する。
図１は本発明に係るオーダーワイヤ通信システムの概略構成を示す図である。本図に示すように、図１２と比較して、直線状に接続される複数の伝送装置２１〜２６で構成される伝送システムの両端に位置する伝送装置２１、２６に接続監視部２１Ａ、２６Ａが設けられ、被監視装置である他の伝送装置２２〜２５には返信部２２Ｂ〜２５Ｂが設けられる。
【００２２】
伝送装置２１、２６の接続監視部２１Ａ、２６Ａは、配下の伝送装置２２〜２５に対して、オーダーワイヤ通信システムの通信障害をそれぞれ監視する。
伝送装置２２〜２５の返信部２２Ｂ〜２５Ｂは接続監視部２１Ａ、２６Ａに対して監視結果の報告をそれぞれ返信する。
図２は接続監視部２１Ａ、２６Ａ、返信部２２Ｂ〜２５Ｂの概略構成を示すブロック図であり、図３は図２の固有番号保持部６１、音声打合テキスト用音声データ保持部６２に保持されるデータ例を示す図である。
【００２３】
本図（ａ）に示すように、接続監視部２１Ａ、２６Ａの各々には、固有番号保持部６１が設けられ、固有番号保持部６１は、図３（ａ）に示すように、配下の伝送装置２２〜２５の呼び出し番号である固有番号と障害監視番号を保持する。伝送装置２１、２６の接続監視部２１Ａ、２６Ａから伝送装置２２〜２５の各々の固有番号に対して、定期的に、ＤＴＭＦ（Ｄｉａｌ  Ｔｏｎｅ  ＭｕｌｔｉＦｒｅｑｕｅｃｙ）信号で呼び出し、障害監視番号のＤＴＭＦ信号を送信することにより、障害監視のコマンドが送信される。
【００２４】
この場合、前記接続監視部２１Ａ、２６Ａは、定期的な呼び出しを相互に非同期に行い、且つ、定期的な呼び出しの間隔を異なるように設定するようにしてもよい。、輻輳を防止するためである。
さらに、接続監視部２１Ａ、２６Ａの各々には、音声打合テキスト用音声データ保持部６２が設けられ、音声打合テキスト用音声データ保持部６２は、一例として、図３（ｂ）に示すように、「オーダーワイヤ通信システムのテスト中です。」との音声打合テスト用音声データを保持する。この音声データは、ＳＤＨのオーバヘッドのＥ１又はＥ２バイトの音声打ち合わせに用いられる。
【００２５】
さらに、接続監視部２１Ａ、２６Ａの各々には返信判断部６３が設けられ、返信判断部６３は、配下の伝送装置２２〜２５から監視結果の返信状況に基づいて、後述するように、オーダーワイヤ通信システムの通信障害の有無を判断する。本図（ｂ）に示すように、返信部２２Ｂ〜２５Ｂの各々には、障害監視番号識別部６４が設けられ、障害監視番号識別部６４は受信信号から障害監視番号を識別する。
【００２６】
返信部２２Ｂ〜２５Ｂの各々は、障害監視番号識別部６４が受信信号から障害監視番号を識別すると、接続監視部２１Ａ、２６Ａに障害監視番号を受信した旨の返信を行う。
なお、伝送路障害により、障害監視番号を含む信号を受信できない場合には上記の返信を行うことはできない。
さらに、返信部２２Ｂ〜２５Ｂの各々には、音声データ再生検出部６５が設けられ、音声データ再生検出部６５は、音声打ち合わせに用いられる音声データをアナログ信号に変換して再生する際に、アナログ信号のレベルに基づいて音声再生の検出を行う。
【００２７】
すなわち、音声データ再生検出部６５は、上記アナログ信号のレベルが所定値よりも大きい場合には音声再生が正常であったと判断し、逆に小さい場合には音声再生が異常であったと判断する。
返信部２２Ｂ〜２５Ｂの各々は、音声データ再生検出部６５が音声再生が正常と判断した場合には接続監視部２１Ａ、２６Ａに対して正常な状態を示すＤＴＭＦ信号を返信し、逆に音声再生が異常と判断した場合には、異常を示すＤＴＭＦ信号を返信する。
【００２８】
接続監視部２１Ａ、２６Ａの返信判断部６３では、伝送装置２２〜２５に対して障害監視のコマンドを送信しても、返信部２２Ｂ〜２５Ｂから受信したとの返信がない場合には伝送路障害に起因してオーダーワイヤ通信システムに通信障害が発生したと判断する。
さらに、接続監視部２１Ａ、２６Ａの返信判断部６３では、返信部２２Ｂ〜２５Ｂから障害監視のコマンドの送信に対する受信の返信があっても、音声打ち合わせに用いられる音声データの音声再生が異常の場合には、オーダーワイヤ通信システム自体に通信障害が発生したと判断する。
【００２９】
図４は図１において伝送路障害に起因するオーダーワイヤ通信システムに通信障害が発生した場合の例を説明する図である。
本図に示すように、接続監視部２１Ａでは、返信部２２Ｂ、２３Ｂから正常な状態を示すＤＴＭＦ信号が返信され、返信部２４Ｂ、２５Ｂから応答がない場合に、被監視装置である伝送装置２３と２４の間で伝送路障害に起因してオーダーワイヤ通信システムの通信障害が発生したと判断することが可能になる。
【００３０】
同様に、接続監視部２６Ａでは、返信部２５Ｂ、２４Ｂから正常な状態を示すＤＴＭＦ信号が返信され、返信部２３Ｂ、２２Ｂから応答がない場合に、被監視装置である伝送装置２３と２４の間で伝送路障害に起因してオーダーワイヤ通信システムに通信障害が発生したと判断することが可能になる。
図５は図１において伝送路障害がなくディジタルブランチ回路を含むオーダーワイヤ通信システムに通信障害がある場合の例を示す図である。
【００３１】
本図に示すように、接続監視部２１Ａでは、返信部２２Ｂ、２３Ｂ、２５Ｂから正常な状態を示すＤＴＭＦ信号が返信され、返信部２４Ｂから異常を示すＤＴＭＦ信号が返信された場合、伝送装置２４のオーダーワイヤ通信システムに通信障害が発生したと判断する。
【００３２】
同様に、接続監視部２６Ａでは、返信部２５Ｂ、２３Ｂ、２２Ｂから正常な状態を示すＤＴＭＦ信号が返信され、返信部２４Ｂから異常を示すＤＴＭＦ信号が返信された場合、伝送装置２４のオーダーワイヤ通信システムに通信障害が発生したと判断する。
このように、接続監視部２１Ａ、２６Ａに対して、伝送路障害がなく、障害監視番号を含む信号を返信部２２Ｂ、２３Ｂ、２４Ｂ、２５Ｂから受信しても、返信部２２Ｂ、２３Ｂ、２４Ｂ、２５Ｂのいずれからかに異常を示すＤＴＭＦ信号が返信される場合には該当する伝送装置のオーダーワイヤ通信システムに通信障害が発生したと判断される。
【００３３】
図６は図１における接続監視部２１Ａ、２６Ａの一連の動作を説明するフローチャートである。
ステップＳ３１において、接続監視部２１Ａ、２６Ａの各々は、定期的に接続監視機能動作を行うために、一定時間Ｔの経過を待つ。
ステップＳ３２において、ｎ＝２２を設定する。
【００３４】
ステップＳ３３において、固有番号保持部６１に保持されている伝送装置ｎの固有番号のＤＴＭＦ信号で呼び出しを行う。
ステップＳ３４において、障害監視番号のＤＴＭＦ信号を送信し、さらに音声打合テスト用音声データ保持部６２に保持されている音声打合テスト用音声データをオーバヘッドのＥ１又はＥ２バイトに設定し、ＳＤＨのフレームを伝送する。
【００３５】
ステップＳ３５において、返信判断部６３では送信した障害監視番号のＤＴＭＦ信号に対して、返信部２２Ｂ〜２５Ｂの１のいずれかからか返信のＤＴＭＦ信号を受信したか否かを判断する。受信しない場合にはステップＳ３９に進む。
ステップＳ３６において、返信のＤＴＭＦ信号を受信した場合には受信ＤＴＭＦ信号が正常状態を示すものか否かを判断する。正常状態を示すもとのと判断できない場合にはステップＳ４０に進む。
【００３６】
ステップＳ３７において、正常状態を示すものと判断した場合には、ｎ＝５が成立するか否かを判断する。上記式が成立する場合にはステップＳ４１に進む。ステップＳ３８において、上記式が成立しない場合には、ｎ＝ｎ＋１とし、ステップＳ３３に戻り上記手順を繰り返す。
ステップＳ３９において、伝送装置ｎ−１と伝送装置ｎ間に伝送路障害に起因するオーダーワイヤ通信システムに通信障害有りとのアラームを発生する。オーダーワイヤ通信システムの通信障害の発見が遅れないようにするためである。
【００３７】
ステップＳ４０において、伝送装置ｎのオーダーワイヤ通信システム自体に通信障害が有りとのアラームを発生する。
ステップＳ４１において、上記一定時間をＴ＝０として処理を終了する。
図７は図１における返信部２２Ｂ〜２５Ｂ各々の一連の動作を説明するフローチャートである。
ステップＳ５１において、返信部２２Ｂ〜２５Ｂの各々は、接続監視部２１Ａ、２６Ａ呼び出しされたか否かを判断する。呼び出しがなければ処理を終了する。
【００３８】
ステップＳ５２において、上記呼び出しがある場合には、障害監視番号識別部６４では障害監視番号のＤＴＭＦ信号を受信したか否かを判断する。受信していないと判断した場合にはステップＳ５６に進む。
ステップＳ５３において、障害監視番号のＤＴＭＦ信号を受信した場合には、伝送されてきたＳＤＨのオーバヘッドのＥ１又はＥ２バイトから音声打ち合わせの音声データを抽出する。
【００３９】
ステップＳ５４において、抽出した音声データを再生する。
ステップＳ５５において、音声データ再生検出部６５で音声再生が正常に行われたか否かの判断を行う。音声再生が正常に行われている場合にはステップＳ５８に進み、音声再生が正常に行われない場合にはステップＳ５７に進む。
ステップＳ５６において、障害監視番号のＤＴＭＦ信号を受信しない場合には、呼び出し用のブザーを鳴動させ、ステップＳ５８に進む。
【００４０】
なお、障害監視番号のＤＴＭＦ信号を受信した場合には呼び出し用のブザーを鳴動させない。呼び出しに応じる必要がないためである。
ステップＳ５７において、異常状態を示すＤＴＭＦ信号を返信し、ステップＳ５８に進む。
ステップＳ５８において、回線切断し、処理を終了する。
【００４１】
このようにして、本発明によれば、伝送システムのオーダーワイヤ通信システムの通信障害を監視し、オーダーワイヤ通信システムに通信障害があれば、接続監視部２１Ａ、２６Ａでアラームを発するので、普段、オーダーワイヤ通信を使用していない状態でも通信障害を発見することができ、即座に通信障害に対応することが可能になる。
図８は図１の第１変形例であり、リング状に接続された複数の伝送装置のオーダーワイヤ通信機能を説明する概略構成を示す図である。
【００４２】
本発明は、本図に示すように、リング状に接続された複数の伝送装置２１〜２６間におけるオーダーワイヤ通信の機能にも適用可能である。
オーダーワイヤ通信の回線に接続されているディジタルブランチ回線１０１、１０２は、その特性上、リング状に接続されると発振現象を起こしてしまい、通信障害となってしまう。
【００４３】
そのため、リング状に複数の伝送装置２１〜２６を接続する場合、上記のトラブルを防ぐために、伝送装置間の１箇所を、例えば、伝送装置１と伝送装置６の間で、故意にオーダーワイヤ通信の回線接続が行われないように、分離する。
伝送システムで見た場合、リング状の伝送システムではあるが、オーダーワイヤ通信の機能で見た場合は、直線状の伝送システムとして扱うことが可能になる。
【００４４】
上記例では、伝送装置２１、２６に監視機能を有する接続監視部２１Ａ、２６Ａ伝送装置が設けられ、他の伝送装置２２〜２５に返信部２２Ｂ〜２５Ｂが設けられる。
図９は図１の第２変形例であり、直線状に接続された複数の伝送装置の数が多い場合のオーダーワイヤ通信機能を説明する概略構成を示す図である。
【００４５】
本図に示すように、直線状に接続された複数の伝送装置２１〜ｎの数が多い場合には、伝送システムの両端の伝送装置２１、ｎに接続監視部２１Ａ、ｎＡを設け、さらに、中間位置の伝送装置ｋにも接続監視部ｋＡが設けられる。
このように接続監視部ｋＡを追加して設けることにより直線状の伝送システムにおいて伝送装置の数が多くなっても多数のオーダーワイヤ通信システムの通信障害発生箇所の発見が早期に行えるようになる。
【００４６】
図１０は図１の第３変形例であり、リング状に接続された複数の伝送装置の数が多い場合のオーダーワイヤ通信機能を説明する概略構成を示す図である。
本図に示すように、リング状に接続された複数の伝送装置２１〜ｎの数が多い場合には、故意にオーダーワイヤ通信の回線接続が行われないように分離した伝送装置２１、ｎに接続監視部２１Ａ、ｎＡが設けられ、さらに、中間位置の伝送装置ｋにも接続監視部ｋＡが設けられる。
【００４７】
このように接続監視部ｋＡを追加して設けることにより、リング状の伝送システムにおいて伝送装置の数が多くなっても多数のオーダーワイヤ通信システムの通信障害発生箇所の発見が早期に行えるようになる。
図１１は図９の変形例であり、直線状に接続される複数の伝送装置を複数組み合わせる例を示す図である。
【００４８】
本図に示すように、図９と比較して、直線状に接続された複数の伝送装置２１〜ｎと、直線状の複数の伝送装置２１〜ｎにおける中間位置の伝送装置ｋを交点としてさらに直線状に接続される複数の伝送装置ｎ＋１〜ｎ＋ｍとで伝送システムが構成されているとする。
この場合、伝送システムの端部、上記中間位置での伝送装置２１、ｋ、ｎ、ｎ＋ｍに接続監視部２１Ａ、ｋＡ、ｎＡ、（ｎ＋ｍ）Ａが設けられる。
【００４９】
このように伝送システムにおける直線状の端部、中間位置に形成される交点に接続監視部２１Ａ、ｋＡ、ｎＡ、（ｎ＋ｍ）Ａを設けることにより、直線状の複数の伝送装置を複数組み合わせる伝送システムにおいて伝送装置の数が多くなっても多数のオーダーワイヤ通信システムの通信障害発生箇所の発見が早期に行えるようになる。
図１２は図１０の変形例であり、リング状と直線状に接続される複数の伝送装置を複数組み合わせる例を示す図である。
【００５０】
本図に示すように、図１０と比較して、リング状に接続される複数の伝送装置２１〜ｎと、リング状に接続される複数の伝送装置２１〜ｎにおける中間位置の伝送装置ｋを交点としてさらに直線状に接続される複数の伝送装置ｎ＋１〜ｎ＋ｍとで伝送システムが構成されているとする。
この場合、リング状で分離した端部、上記中間位置に形成される交点、直線状の端部の伝送装置２１、ｎ、ｋ、ｎ＋ｍに接続監視部２１Ａ、ｋＡ、ｎＡ、（ｎ＋ｍ）Ａが設けられる。
【００５１】
このように、伝送システムでのリング状の分離部、中間位置に形成される交点、直線状の端部の伝送装置２１、ｎ、ｋ、ｎ＋ｍに接続監視部２１Ａ、ｋＡ、ｎＡ、（ｎ＋ｍ）Ａを設けることにより、リング状、直線状の複数の伝送装置を複数組み合わせる伝送システムにおいて伝送装置の数が多くなっても多数のオーダーワイヤ通信システムの通信障害発生箇所の発見が早期に行えるようになる。
【００５２】
なお、以上は一例の説明であり、本発明は、これらに限定されず、リング状とリング状の伝送システムの組み合わせ、さらには、複数のリング状の伝送システムの組み合わせ、さらには複数の直線状の伝送システムの組み合わせ、複数の直線状の伝送システムと複数のリング状の伝送システムの組み合わせについても同様に適用可能である。
【００５３】
すなわち、複雑な伝送システム、伝送装置の数が増加した伝送システムに本発明の適用が可能となる。
【００５４】
【発明の効果】
以上説明したように、本発明によれば、直線状に接続された伝送装置のうち、両端の各伝送装置から両端以外の他の各伝送装置に対し、固有番号のＤＴＭＦ信号で呼び出しを定期的に行い、呼び出し後に障害監視番号のＤＴＭＦ信号、テスト用音声信号を送信し、両端以外の他の伝送装置で障害監視番号のＤＴＭＦ信号を受信し、両端の伝送装置に対し、障害監視番号のＤＴＭＦ信号を受信した旨の返信を行い、テスト用音声信号の音声再生が正常に行われたかのＤＴＭＦ信号を返信し、障害監視番号のＤＴＭＦ信号を受信した旨の返信を受信しない場合には第１のアラームを発生し、テスト用音声信号の音声再生が異常である旨の返信を受信した場合には第２のアラームを発生するようにしたので、伝送システムでオーダーワイヤ通信システムの通信障害を早期に発見することが可能になる。
【００５５】
複数の伝送装置がリング状に接続されている場合には、オーダーワイヤ通信の回線接続を行わないように伝送装置間の１箇所を分離し、分離した伝送装置に接続監視部が設けられるようにしたので、リング状に接続されることにより生じる発振現象を防止すると共に、オーダーワイヤ通信システムの通信障害を早期に発見することが可能になる。
【図面の簡単な説明】
【図１】本発明に係るオーダーワイヤ通信システムの概略構成を示す図である。
【図２】接続監視部２１Ａ、２６Ａ、返信部２２Ｂ〜２５Ｂの概略構成を示すブロック図である。
【図３】図２の固有番号保持部６１、音声打合テキスト用音声データ保持部６２に保持されるデータ例を示す図である。
【図４】図１において伝送路障害に起因してオーダーワイヤ通信システムに通信障害が発生した場合の例を説明する図である。
【図５】図１において伝送路障害がなくディジタルブランチ回路を含むオーダーワイヤ通信システムに通信障害がある場合の例を示す図である。
【図６】図１における接続監視部２１Ａ、２６Ａの一連の動作を説明するフローチャートである。
【図７】図１における返信部２２Ｂ〜２５Ｂの一連の動作を説明するフローチャートである。
【図８】図１の第１変形例であり、リング状に接続された複数の伝送装置のオーダーワイヤ通信機能を説明する概略構成を示す図である。
【図９】図１の第２変形例であり、直線状に接続された複数の伝送装置の数が多い場合のオーダーワイヤ通信機能を説明する概略構成を示す図である。
【図１０】図１の第３変形例であり、リング状に接続された複数の伝送装置の数が多い場合のオーダーワイヤ通信機能を説明する概略構成を示す図である。
【図１１】図９の変形例であり、直線状に接続される複数の伝送装置を組み合わせる例を示す図である。
【図１２】図１０の変形例であり、リング状と直線状に接続される複数の伝送装置を複数組み合わせる例を示す図である。
【図１３】本発明の前提となるオーダーワイヤ通信システムの概略構成を示す図である。
【図１４】図１３において伝送路障害に起因してオーダーワイヤ通信システムに通信障害が発生した場合のオーダーワイヤ通信を説明する図である。
【図１５】図１３においてオーダーワイヤ通信システム自身の障害に起因してオーダーワイヤ通信システムに通信障害が発生した場合のオーダーワイヤ通信を説明する図である。
【符号の説明】
２１〜２６〜ｎ〜（ｎ＋ｍ）…伝送装置
２１Ａ、２６Ａ、ｋＡ、ｎＡ、（ｎ＋ｍ）Ａ…接続監視部
２２Ｂ〜２５Ｂ〜（ｋ−１）Ｂ、（ｋ＋１）Ｂ〜（ｎ−１）Ｂ、（ｎ＋１）Ｂ〜（ｎ＋ｍ−１）Ｂ…返信部
１０１、１０２…ディジタルブランチ回路
【図１】
0003583090.tif 000002
【図２】
0003583090.tif 000003
【図３】
0003583090.tif 000004
【図４】
0003583090.tif 000005
【図５】
0003583090.tif 000006
【図６】
0003583090.tif 000007
【図７】
0003583090.tif 000008
【図８】
0003583090.tif 000009
【図９】
0003583090.tif 000010
【図１０】
0003583090.tif 000011
【図１１】
0003583090.tif 000012
【図１２】
0003583090.tif 000013
【図１３】
0003583090.tif 000014
【図１４】
0003583090.tif 000015
【図１５】
0003583090.tif 000016